(57)【要約】【課題】高品位の表示装置及び電子機器を提供する。【解決手段】実施形態によれば、複数の第１〜第３配線と、画素電極と、表示層と、制御部と、を含む表示装置が提供される。第１配線は、第１方向に延在し第２方向に並ぶ。第２、第３配線は、第２方向に延在し第１方向に並ぶ。画素電極は、スイッチ素子を介して、第１、第２配線と接続される。表示層は、光学特性の変化または発光の光学動作を行う。第１配線は、第１、第２グループを含む。第２配線は、第１色配線を含む。第３電極は、第１対向配線と第２対向配線とを含む。制御部は、第１グループに含まれる第１配線を選択して、第１極性の第１色画像信号を第１色配線に供給する第１動作と、第２グループに含まれる第１配線を選択して、第２極性の第２色画像信号を第１色配線に供給する第２動作と、第１、第２動作の間において、第３動作を行う。【選択図】図１
2015222346.tif 000002
【特許請求の範囲】
【請求項１】
第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第２方向に延在し前記第１方向に並ぶ複数の第３配線と、
前記複数の画素電極に与えられる電気信号に基づいて、光学特性の変化と、発光と、の少なくともいずれかの光学動作を行う表示層と、
第１色の複数の第１色フィルタと、
前記第１色の視感度よりも高い第２色の複数の第２色フィルタと、
前記複数の第１配線と、前記複数の第２配線と、前記複数の第３配線と、に電気的に接続された制御部と、
を備え、
前記複数の第１配線は、
前記複数の第１配線の一部を含む第１グループと、
前記第１グループの前記第２方向の隣に配置され前記複数の第１配線の別の一部を含む第２グループと、
を含み、
前記複数の第２配線は、
第１色配線と、
前記第１方向において前記第１色配線の隣の第２色配線と、
を含み、
前記複数のスイッチ素子は、
それぞれが、前記第１グループに含まれる前記複数の第１配線のそれぞれと、前記第１色配線と、に電気的に接続された複数の第１スイッチと、
それぞれが、前記第２グループに含まれる前記複数の第１配線のそれぞれと、前記第１色配線と、に電気的に接続された複数の第２スイッチと、
それぞれが、前記第１グループに含まれる前記複数の第１配線のそれぞれと、前記第２色配線と、に電気的に接続された複数の第３スイッチと、
それぞれが、前記第２グループに含まれる前記複数の第１配線のそれぞれと、前記第２色配線と、に電気的に接続された複数の第４スイッチと、
を含み、
前記複数の画素電極は、
それぞれが複数の第１スイッチのそれぞれと電気的に接続された複数の第１画素電極と、
それぞれが複数の第２スイッチのそれぞれと電気的に接続された複数の第２画素電極と、
それぞれが複数の第３スイッチのそれぞれと電気的に接続された複数の第３画素電極と、
それぞれが複数の第４スイッチのそれぞれと電気的に接続された複数の第４画素電極と、
を含み、
前記複数の第３配線は、
前記第１方向及び前記第２方向を含む平面に投影したときに前記複数の第１画素電極及び前記複数の第２画素電極と重なる第１対向配線と、
前記平面に投影したときに前記複数の第３画素電極及び前記複数の第４画素電極と重なる第２対向配線と、
を含み、
前記平面に投影したときに、前記複数の第１色フィルタの少なくとも一部は、前記複数の第１画素電極及び前記複数の第２画素電極と重なり、
前記平面に投影したときに、前記複数の第２色フィルタの少なくとも一部は、前記複数の第３画素電極及び前記複数の第４画素電極と重なり、
前記制御部は、
第１表示期間において、前記第１グループに含まれる前記複数の第１配線を順次選択して、前記第１対向配線を基準とした第１極性の第１色画像信号を前記第１色配線に供給し、前記第２極性の第３色画像信号を前記第２色配線に供給するする第１動作と、
前記第１表示期間の後の第２表示期間において、前記第２グループに含まれる前記複数の第１配線を順次選択して、前記第１対向配線を基準とした、前記第１極性とは逆の第２極性の第２色画像信号を前記第１色配線に供給し、前記第２極性の第４色画像信号を前記第２色配線に供給する第２動作と、
前記第１表示期間と前記第２表示期間との間の非表示期間において、前記第１動作及び前記第２動作とは異なる第３動作と、
を行う表示装置。
【請求項２】
前記平面に対して垂直な方向において前記第１〜第３配線、前記スイッチ素子及び前記複数の画素電極と離間し、前記平面に対して平行で前記第２方向に対して交差する第３方向に延在し前記平面に対して平行で前記第３方向と交差する第４方向に並ぶ複数の第４配線をさらに備え、
前記表示層は、前記複数の画素電極と前記複数の第４配線との間に設けられ、
前記制御部は、前記第３動作において、前記複数の第４配線の少なくともいずれかと、前記複数の第３配線の少なくともいずれかと、の間に流れる電流を検知する請求項１記載の表示装置。
【請求項３】
前記制御部は、前記複数の第４配線の前記少なくともいずれかに近接する物体による、前記複数の第４配線の前記少なくともいずれかと、前記複数の第３配線の前記少なくともいずれかと、の間の容量の変化に基づく前記電流の変化を検出する請求項２記載の表示装置。
【請求項４】
前記制御部は、前記非表示期間と前記第２表示期間との間の表示前期間において、
前記第２極性の第１色表示前信号を前記第１色配線に供給する第４動作をさらに実施する請求項１〜３のいずれか１つに記載の表示装置。
【請求項５】
前記第１グループに含まれる前記複数の第１配線は、前記第２グループに最も近い最後の第１配線を含み、
前記制御部は、前記最後の第１配線が選択されたときに前記第１色配線に第１色最後信号を供給し、
前記第１色表示前信号は、前記第１色最後信号に応じた信号である請求項４記載の表示装置。
【請求項６】
前記制御部は、前記非表示期間と前記第２表示期間との間の表示前期間において、
前記第２極性の第２色表示前信号を前記第２色配線に供給する第４動作をさらに実施する請求項１〜５のいずれか１つに記載の表示装置。
【請求項７】
前記第１色の前記視感度よりも高く前記第２色とは異なる第３色の複数の第３色フィルタをさらに備え、
前記複数の第２配線は、前記第１方向において前記第１色配線の隣の第３色配線をさらに含み、前記第１色配線は、前記第２色配線と前記第３色配線との間に配置され、
前記複数のスイッチ素子は、
それぞれが、前記第１グループに含まれる前記複数の第１配線のそれぞれと、前記第３色配線と、に電気的に接続された複数の第５スイッチと、
それぞれが、前記第２グループに含まれる前記複数の第１配線のそれぞれと、前記第３色配線と、に電気的に接続された複数の第６スイッチと、
をさらに含み、
前記複数の画素電極は、
それぞれが複数の第５スイッチのそれぞれと電気的に接続された複数の第５画素電極と、
それぞれが複数の第６スイッチのそれぞれと電気的に接続された複数の第６画素電極と、
をさらに含み、
前記平面に投影したときに、前記複数の第３色フィルタの少なくとも一部は、前記複数の第５画素電極及び前記複数の第６画素電極と重なり、
前記制御部は、
前記第１動作において、前記第１グループに含まれる前記複数の第１配線を順次選択して、さらに、前記第１極性の第５色画像信号を前記第３色配線に供給し、
前記第２動作において、前記第２グループに含まれる前記複数の第１配線を順次選択して、さらに、前記第１極性の第６色画像信号を前記第３色配線に供給する請求項１〜６のいずれか１つ記載の表示装置。
【請求項８】
前記制御部は、前記非表示期間と前記第２表示期間との間の表示前期間において、
前記第２極性の第３色表示前信号を前記第３色配線に供給する第４動作をさらに実施する請求項７記載の表示装置。
【請求項９】
前記第１色の前記視感度よりも高く前記第２色とは異なる第３色の複数の第３色フィルタをさらに備え、
前記複数の第２配線は、前記第１方向において前記第１色配線の隣の第３色配線をさらに含み、
前記制御部は、前記第３色配線に電気的に接続されるソースアンプを含む請求項１〜８のいずれか１つに記載の表示装置。
【請求項１０】
前記制御部は、
前記第１色配線に電気的に接続される第１ソースアンプと、
前記第２色配線に電気的に接続される第２ソースアンプと、
を含む請求項１〜９のいずれか１つに記載の表示装置。
【請求項１１】
前記第２方向に延在する複数の第５配線をさらに備え、
前記複数の第５配線のそれぞれは、複数の第３配線のいずれかに電気的に接続され、
前記複数の第５配線のそれぞれの電気抵抗は、前記複数の第３配線のそれぞれの電気抵抗よりも低い請求項１〜１０のいずれか１つに記載の表示装置。
【請求項１２】
一対の基板と、
該一対の基板の間に設けられる液晶層と、
一方の基板にマトリクス状に配置される複数の画素電極と、
いずれか一方の基板に設けられて前記マトリクス状に配置される複数の画素電極に対向して配置される共通電極と、
各画素列に対向した色列を備えるカラーフィルタ層と
各画素電極に画素信号を印加する制御部と、
を備え、
前記カラーフィルタ層の色列は、画素列方向に少なくとも３色を繰り返して設けられるものであって、
前記制御部は、
隣り合う画素列間で互いに極性を反転させた画素信号を供給する状態で、
さらに、少なくとも１色に対応する画素列だけ、
第１表示期間に画素信号を印加される第１画素行と、
当該第１画素行に並んで設けられ、第１表示期間後の第２表示期間に画素信号を印加される第２画素行との間でも極性を反転させた画素信号を供給する表示装置。
【請求項１３】
前記カラーフィルタ層は、少なくとも赤色、緑色及び青色であって、前記制御部で駆動を他の色と異ならせる色は青色である請求項１２記載の表示装置。
【請求項１４】
前記第２表示期間前に前記３色ともプリチャージを行い、前記極性は、前記第１表示期間と同じ極性、または、前記第１表示期間の極性を反転させた極性である請求項１２記載の表示装置。
【請求項１５】
請求項１〜１４のいずれか１つに記載した表示装置を備えた電子機器。
【発明の詳細な説明】
【技術分野】
【０００１】
本発明の実施形態は、表示装置及び電子機器に関する。
【背景技術】
【０００２】
液晶や有機ＥＬなどを用いた表示装置が開発されている。表示装置において、表示動作の他に、例えば、タッチ入力の検出などの非表示動作が行われる場合がある。例えば、消費電力を低減するために、表示動作を休止する場合もある。非表示動作を行う場合にも、高品位の表示を維持することが望まれる。
【先行技術文献】
【特許文献】
【０００３】
【特許文献１】特開２０１３−７６７９５号公報
【発明の概要】
【発明が解決しようとする課題】
【０００４】
本発明の実施形態は、高品位の表示装置及び電子機器を提供する。
【課題を解決するための手段】
【０００５】
本発明の実施形態によれば、複数の第１配線と、複数の第２配線と、複数のスイッチ素子と、複数の画素電極と、複数の第３配線と、表示層と、複数の第１色フィルタと、複数の第２色フィルタと、制御部と、を含む表示装置が提供される。前記複数の第１配線は、第１方向に延在し前記第１方向と交差する第２方向に並ぶ。前記複数の第２配線は、前記第２方向に延在し前記第１方向に並ぶ。前記複数のスイッチ素子のそれぞれは、前記複数の第１配線のいずれか及び前記複数の第２配線のいずれかと電気的に接続される。前記複数の画素電極のそれぞれは、前記複数のスイッチ素子のそれぞれと電気的に接続される。前記複数の第３配線は、前記第２方向に延在し前記第１方向に並ぶ。前記表示層は、前記複数の画素電極に与えられる電気信号に基づいて、光学特性の変化と、発光と、の少なくともいずれかの光学動作を行う。前記複数の第１色フィルタは、第１色である。前記複数の第２色フィルタは、第２色である。前記第２色の視感度は、前記第１色の視感度よりも高い。前記制御部は、前記複数の第１配線と、前記複数の第２配線と、前記複数の第３配線と、に電気的に接続される。前記複数の第１配線は、前記複数の第１配線の一部を含む第１グループと、前記第１グループの前記第２方向の隣に配置され前記複数の第１配線の別の一部を含む。前記複数の第２配線は、第１色配線と、前記第１方向において前記第１色配線の隣の第２色配線と、を含む。前記複数のスイッチ素子は複数の第１スイッチと、複数の第２スイッチと、複数の第３スイッチと、複数の第４スイッチと、を含む。前記複数の第１スイッチのそれぞれは、前記第１グループに含まれる前記複数の第１配線のそれぞれと、前記第１色配線と、に電気的に接続される。前記複数の第２スイッチのそれぞれは、前記第２グループに含まれる前記複数の第１配線のそれぞれと、前記第１色配線と、に電気的に接続される。前記複数の第３スイッチのそれぞれは、前記第１グループに含まれる前記複数の第１配線のそれぞれと、前記第２色配線と、に電気的に接続される。前記複数の第４スイッチのそれぞれは、前記第２グループに含まれる前記複数の第１配線のそれぞれと、前記第２色配線と、に電気的に接続される。前記複数の画素電極は、複数の第１画素電極と、複数の第２画素電極と、複数の第３画素電極と、複数の第４画素電極と、を含む。前記複数の第１画素電極のそれぞれは、複数の第１スイッチのそれぞれと電気的に接続される。前記複数の第２画素電極のそれぞれは、複数の第２スイッチのそれぞれと電気的に接続される。前記複数の第３画素電極のそれぞれは、複数の第３スイッチのそれぞれと電気的に接続される。前記複数の第４画素電極のそれぞれは、複数の第４スイッチのそれぞれと電気的に接続される。前記複数の第３配線は、前記第１方向及び前記第２方向を含む平面に投影したときに前記複数の第１画素電極及び前記複数の第２画素電極と重なる第１対向配線と、前記平面に投影したときに前記複数の第３画素電極及び前記複数の第４画素電極と重なる第２対向配線と、を含む。前記平面に投影したときに、前記複数の第１色フィルタの少なくとも一部は、前記複数の第１画素電極及び前記複数の第２画素電極と重なる。前記平面に投影したときに、前記複数の第２色フィルタの少なくとも一部は、前記複数の第３画素電極及び前記複数の第４画素電極と重なる。前記制御部は、第１表示期間において、前記第１グループに含まれる前記複数の第１配線を順次選択して、前記第１対向配線を基準とした第１極性の第１色画像信号を前記第１色配線に供給し、前記第２極性の第３色画像信号を前記第２色配線に供給するする第１動作と、前記第１表示期間の後の第２表示期間において、前記第２グループに含まれる前記複数の第１配線を順次選択して、前記第１対向配線を基準とした、前記第１極性とは逆の第２極性の第２色画像信号を前記第１色配線に供給し、前記第２極性の第４色画像信号を前記第２色配線に供給する第２動作と、前記第１表示期間と前記第２表示期間との間の非表示期間において、前記第１動作及び前記第２動作とは異なる第３動作と、を行う。
【図面の簡単な説明】
【０００６】
【図１】第１の実施形態に係る表示装置を例示する模式的斜視図である。
【図２】第１の実施形態に係る表示装置を例示する模式図である。
【図３】第１の実施形態に係る表示装置を例示する模式的断面図である。
【図４】図４（ａ）及び図４（ｂ）は、第１の実施形態に係る表示装置を例示する模式的断面図である。
【図５】第１の実施形態に係る表示装置の動作を例示する模式図である。
【図６】第１の実施形態に係る表示装置の動作を例示する模式図である。
【図７】参考例の表示装置の動作を例示する模式図である。
【図８】図８（ａ）〜図８（ｃ）は、表示装置の特性を例示する模式図である。
【図９】表示装置の特性を例示する模式的断面図である。
【図１０】表示装置を例示する模式図である。
【図１１】図１１（ａ）及び図１１（ｂ）は、第１の実施形態に係る別の表示装置を例示する模式的断面図である。
【図１２】第１の実施形態に係る別の表示装置を例示する模式図である。
【図１３】図１３（ａ）〜図１３（ｃ）は、第２の実施形態に係る別の表示装置を例示する模式図である。
【図１４】第３の実施形態に係る電子装置を例示する模式的斜視図である。
【発明を実施するための形態】
【０００７】
以下に、本発明の各実施の形態について図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。  
また、本明細書と各図において、既出の図に関して前述したものと同様の要素には、同一の符号を付して、詳細な説明を適宜省略することがある。
【０００８】
（第１の実施形態）  
図１は、第１の実施形態に係る表示装置を例示する模式的斜視図である。  
図１に表したように、本実施形態に係る表示装置１１０は、複数の第１配線Ｌ１（例えばゲート線ＧＬ）と、複数の第２配線Ｌ２（例えば信号線ＳＬ）と、複数の第３配線Ｌ３（例えばコモン線ＣＬ）と、を含む。
【０００９】
複数の第１配線Ｌ１のそれぞれは、第１方向Ｄ１に延在する。複数の第１配線Ｌ１は、第２方向Ｄ２に並ぶ。第２方向Ｄ２は、第１方向Ｄ１と交差する。本実施形態においては、第２方向Ｄ２は、第１方向Ｄ１に対して垂直であるが、垂直以外の状態で交差する構成を採用することも可能である。
【００１０】
複数の第２配線Ｌ２のそれぞれは、第２方向Ｄ２に延在する。複数の第２配線Ｌ２は、第１方向Ｄ１に並ぶ。
【００１１】
複数の第３配線Ｌ３のそれぞれは、第２方向Ｄ２に延在する。複数の第３配線Ｌ３は、第１方向Ｄ１に並ぶ。
【００１２】
第１方向Ｄ１及び第２方向Ｄ２を含む平面をＸ−Ｙ平面とする。Ｘ−Ｙ平面に対して垂直な方向をＺ軸方向とする。Ｘ−Ｙ平面内の１つの方向がＸ軸方向である。Ｘ−Ｙ平面内の１つの方向がＹ軸方向である。Ｙ軸方向は、Ｘ軸方向に対して垂直である。この例では、第１方向Ｄ１は、Ｘ軸方向に対して平行である。第２方向Ｄ２は、Ｙ軸方向に対して平行である。なお、当該Ｘ軸とＹ軸とは、垂直以外の角度で交差する構成を採用することも可能である。
【００１３】
また、複数の第４配線（例えば検出線ＲＬ）が設けられる。複数の第４配線Ｌ４は、Ｚ軸方向において、第１〜第３配線Ｌ１〜Ｌ３と離間する。複数の第４配線Ｌ４のそれぞれは、第３方向Ｄ３に延在する。第３方向Ｄ３は、Ｘ−Ｙ平面に対して平行であり、第２方向Ｄ２に対して交差する。複数の第４配線Ｌ４は、第４方向Ｄ４に並ぶ。第４方向は、Ｘ−Ｙ平面に対して平行で、第３方向Ｄ３と交差する。この例では、第３方向Ｄ３は、Ｘ軸方向に対して平行であり、第４方向Ｄ４は、Ｙ軸方向に対して平行である。
【００１４】
複数のゲート線ＧＬは、例えば、第１ゲート線ＧＬ１、第２ゲート線ＧＬ２、及び、第ｎゲート線ＧＬｎを含む。ゲート線ＧＬの数は、ｎである。ｎは２以上の任意の整数である。例えば、ｎは１９２０である。
【００１５】
複数の信号線ＳＬは、例えば、第１信号線ＳＬ１、第２信号線ＳＬ２、及び、第ｍ信号線ＳＬｍを含む。信号線ＳＬの数は、ｍである。ｍは、２以上の整数である。例えば、ｍは、１０８０×３である。すなわち、例えば、サブ画素である赤画素、緑画素及び青画素の組で１つの要素（画素）となる場合、要素の数が１０８０である。第１方向に沿って並ぶ複数の画素の数に対応して信号線ＳＬが設けられる。実施形態において、ｍは任意である。
【００１６】
複数のコモン線ＣＬは、例えば、第１コモン線ＣＬ１、第２コモン線ＣＬ２、及び、第Ｎコモン線ＣＬＮを含む。コモン線ＣＬの数は、Ｎである。Ｎは２以上の整数である。
【００１７】
複数の検出線ＲＬは、例えば、第１検出線ＲＬ１、第２検出線ＲＬ２、及び、第Ｍ検出線ＲＬＭを含む。検出線ＲＬの数は、Ｍである。Ｍは、２以上の整数である。
【００１８】
この例では、ゲート線ＧＬと検出線ＲＬとの間に、信号線ＳＬ及びコモン線ＣＬが配置されている。実施形態においては、これらの線の配置（第５方向Ｄ５における配置）は種々の変形が可能である。
【００１９】
後述するように、複数のゲート線ＧＬと、複数の信号線ＳＬと、複数のコモン線ＣＬとを用いて画像の表示が行われる。また、複数のコモン線ＣＬと、複数の検出線ＲＬと、を用いて、タッチ入力検出が行われる。実施形態において、タッチ動作を行わない場合は、検出線ＲＬは省略しても良い。  
【００２０】
図２は、第１の実施形態に係る表示装置を例示する模式図である。  
図２に例示したように、表示装置１１０において、複数のスイッチ素子１１と、複数の画素電極Ｐｘと、表示層３０と、が設けられる。複数のスイッチ素子１１のそれぞれは、複数の第１配線Ｌ１（ゲート線ＧＬ）のいずれか、及び、複数の第２配線Ｌ２（信号線ＳＬ）のいずれかと電気的に接続される。
【００２１】
スイッチ素子１１は、ゲート１１ｇと、半導体層１２と、を含む。半導体層１２は、第１部分１２ａと、第２部分１２ｂと、を含む。ゲート１１ｇが、複数のゲート線ＧＬの１つと電気的に接続される。半導体層１２の第１部分１２ａが、複数の信号線ＳＬの１つと電気的に接続される。
【００２２】
各画素電極Ｐｘは、スイッチ素子１１の半導体層１２の第２部分１２ｂと、電気的に接続される。このように１の画素電極Ｐｘが１のスイッチ素子１１に接続されることで、複数の画素電極Ｐｘは、全体として第１方向Ｄ１と第２方向Ｄ２とに亘ってマトリクス状に配置されることとなる。  
なお、このようにマトリクス状に配置されている画素電極Ｐｘにおいて、第１方向Ｄ１に並ぶ複数の画素電極Ｐｘの並びのことを画素行と称する。また、第２方向Ｄ２に並ぶ画素電極Ｐｘの並びのことを画素列と称する。
【００２３】
表示層３０は、複数の画素電極Ｐｘに与えられる電気信号に基づいて、光学動作を行う。光学動作は、光学特性の変化と、発光と、の少なくともいずれかを含む。後述するように、表示層３０は、一対の基板間に設けられる。
【００２４】
表示層３０として液晶層が用いられる場合は、光学動作は、光学特性の変化を含む。光学特性は、例えば、複屈折率、旋光性、散乱性、光反射率及び光吸収率の少なくともいずれかを含む。例えば、画素電極Ｐｘに与えられる電気信号によって、表示層３０（液晶層）における液晶配向が変化し、実効的な複屈折率が変化する。旋光性、散乱性、光反射率及び光吸収率の少なくともいずれかが変化しても良い。
【００２５】
例えば、表示層３０として発光層（例えば有機発光層）が用いられ場合は、光学動作は、発光（光の放出）を含む。すなわち、表示層３０は、光学特性の変化と、発光と、の少なくともいずれかの光学動作を行う。
【００２６】
図２に例示したように、表示装置１１０に制御部６０（駆動装置２１０）が設けられる。  
制御部６０は、第１駆動回路６１と、第２駆動回路６２と、制御回路６３と、を含む。第１駆動回路６１は、複数のゲート線ＧＬと電気的に接続される。第２駆動回路６２は、複数の信号線ＳＬ及び複数のコモン線ＣＬと電気的に接続される。制御回路６３は、第１駆動回路６１及び第２駆動回路６２と電気的に接続される。制御回路６３が入手する電気信号（画像信号を含む）に、適切な信号処理が行われる。信号処理が行われた電気信号が、第１駆動回路６１及び第２駆動回路６２に供給される。
【００２７】
ゲート線ＧＬ、信号線ＳＬ、スイッチ素子１１、画素電極Ｐｘ及びコモン線ＣＬにより、複数の画素３５における表示層３０（例えば液晶層）の光学動作が制御される。これにより、表示が行われる。当該表示動作において、例えば、コモン線ＣＬは、画素電極Ｐｘの対向電極（共通電極ともいう）として用いられる。すなわち、スイッチ素子１１を介して画素電極Ｐｘに電気信号が供給され、複数の画素電極Ｐｘのそれぞれの電位が制御される。画素電極Ｐｘとコモン線ＣＬとにより生じる電界により液晶の配向が変化して、表示が行われる。
【００２８】
また、本実施形態においては、制御部６０に、検出回路６５がさらに設けられている。検出回路６５は、検出線ＲＬと電気的に接続される。検出動作においては、例えば、第２駆動回路６２と検出回路６５とにより、複数のコモン線ＣＬのそれぞれと、複数の検出線ＲＬのそれぞれと、の間に形成される容量が検出される。
【００２９】
より具体的には、複数の検出線ＲＬと、複数のコモン線ＣＬと、により、表示装置１１０へのタッチ入力が検出される。検出動作においては、例えば、表示装置１１０の観視者（使用者）の指または入力部材（例えば入力ペンなど）などが表示装置１１０に接触、または、近接する。検出線ＲＬとコモン線ＣＬとによって形成される電気容量が、上記の接触または近接により変化する。この電気容量の変化を検出することで、タッチ入力が検出される。なお、タッチ入力は、検出線ＲＬに接触する接触と、検出線ＲＬに離間しつつ近づく近接（ホバリング）と、を含む。
【００３０】
上述の如く、本実施形態においては、コモン線ＣＬ（第３配線Ｌ３）が、表示のための対向電極として用いられつつ、タッチ検出のための対向電極としても用いられる。
【００３１】
図２に表したように、複数の第１配線Ｌ１（ゲート線ＧＬ）は、第１グループＧＰ１と、第２グループＧＰ２と、を含む。後述するように、例えば、第１グループＧＰ１に含まれる第１配線Ｌ１が順次走査されて、第１グループＧＰ１に対応する画素３５において表示が行われる。その後、第２グループＧＰ２に含まれる第１配線Ｌ１が順次走査されて、第２グループＧＰ２に対応する画素３５において表示が行われる。複数のグループの数は、例えば、２以上１００以下、例えば２０程度である。この値は例であり、実施形態において、グループの数は、任意である。後述するように、例えば、２つのグループの走査の間に、非表示動作が行われる。
【００３２】
第１グループＧＰ１は、複数の第１配線Ｌ１の一部（例えば、第（ｉ−２）ゲート線ＧＬｉ−２、及び、第（ｉ−１）ゲート線ＧＬｉ−１などであり、ｉは３以上の整数）を含む。  
第２グループＧＰ２は、第２グループＧＰ２と、第２方向において、隣に配置される。第２グループＧＰ２は、複数の第１配線Ｌ１の別の一部（例えば、第ｉゲート線ＧＬｉ、及び、第（ｉ＋１）ゲート線ＧＬｉ＋１など）を含む。
【００３３】
複数の第２配線Ｌ２（信号線ＳＬ）は、第１色配線ＳＬａを含む。第１色配線ＳＬａは第１色に対応する信号線ＳＬである。第１色は、例えば、赤（Ｒ）、緑（Ｇ）及び青（Ｂ）のいずれかである。この例では、第１色は、青色である。第１色配線ＳＬａは、例えば、青色画素に対応する（接続される）信号線ＳＬである。
【００３４】
複数のスイッチ素子１１は、複数の第１スイッチＳＷ１と、複数の第２スイッチＳＷ２と、を含む。  
第１スイッチＳＷ１のそれぞれは、第１グループＧＰ１に属する第１配線Ｌ１のいずれかと第１色配線ＳＬａとに互いに重複することなく電気的に接続される。  
第２スイッチＳＷ２のそれぞれは、第２グループＧＰ２に属する第１配線Ｌ１のいずれかと第１色配線ＳＬａとに互いに重複することなく電気的に接続される。
【００３５】
複数の画素電極Ｐｘは、複数の第１画素電極Ｐｘ１と、複数の画素電極Ｐｘ２と、を含む。  
各第１画素電極Ｐｘ１は、複数の第１スイッチＳＷ１のいずれかに互いに重複することなく電気的に接続される。  
各第２画素電極Ｐｘ２は、複数の第２スイッチＳＷ２のいずれかに互いに重複することなく電気的に接続される。
【００３６】
複数の第３配線Ｌ３（コモン線ＣＬ）は、第１対向配線ＣＬａを含む。第１対向配線ＣＬａは、後述するように、Ｘ−Ｙ平面（第１方向Ｄ１及び第２方向Ｄ２を含む平面）に投影したときに、複数の第１画素電極Ｐｘ１及び複数の第２画素電極Ｐｘ２と重なる。
【００３７】
さらに、複数の第２配線Ｌ２（信号線ＳＬ）は、第２色配線ＳＬｂをさらに含む。第２色配線は、第２色に対応する信号線ＳＬである。第２色は、第１色とは異なり、例えば、赤、緑及び青のいずれかである。この例では、第２色は、赤色である。第２色配線ＳＬｂは、例えば、赤色画素に対応する（接続される）信号線ＳＬである。第２色配線ＳＬｂは、第１方向Ｄ１において、第１色配線ＳＬａの隣に配置される。後述するように、第１色配線ＳＬａと、第２色配線ＳＬｂと、の間にスリット（間隙）が設けられる。スリットにより、第１色配線ＳＬａは、第２色配線ＳＬｂと離間する。
【００３８】
複数のスイッチ素子１１は、複数の第３スイッチＳＷ３と、複数の第４スイッチＳＷ４と、をさらに含む。  
第３スイッチＳＷ３のそれぞれは、第１グループＧＰ１に属する第１配線Ｌ１のいずれかと第２色配線ＳＬｂとに互いに重複することなく電気的に接続される。  
第４スイッチＳＷ４のそれぞれは、第２グループＧＰ２に属する第１配線Ｌ１のいずれかと第２色配線ＳＬｂとに互いに重複することなく電気的に接続される。
【００３９】
複数の画素電極Ｐｘは、複数の第３画素電極Ｐｘ３と、複数の第４画素電極Ｐｘ４と、を含む。  
各第３画素電極Ｐｘ３は、複数の第３スイッチＳＷ３のいずれかに互いに重複することなく電気的に接続される。  
各第４画素電極Ｐｘ４は、複数の第４スイッチＳＷ４のいずれかに互いに重複することなく電気的に接続される。
【００４０】
この例では、複数の第２配線Ｌ２（信号線ＳＬ）は、第３色配線ＳＬｃをさらに含む。第３色配線ＳＬｃは、第３色に対応する（接続される）信号線ＳＬである。第３色は、第１色とは異なり、第２色とも異なる。第３色は、例えば、赤、緑及び青のいずれかである。この例では、第３色は、緑色である。第３色配線ＳＬｃは、例えば、緑色画素に対応する（接続される）信号線ＳＬである。第３色配線ＳＬｃは、第１方向Ｄ１において第１色配線ＳＬａの隣に配置される。例えば、第１色配線ＳＬａは、第２色配線ＳＬｂと第３色配線ＳＬｃとの間に配置される。
【００４１】
複数のスイッチ素子１１は、複数の第５スイッチＳＷ５と、複数の第６スイッチＳＷ６と、をさらに含む。  
複数の第５スイッチＳＷ５のそれぞれは、第１グループＧＰ１に属する第１配線Ｌ１のいずれかと第３色配線ＳＬｃとに互いに重複することなく電気的に接続される。  
複数の第６スイッチＳＷ６のそれぞれは、第２グループＧＰ２に属する第１配線Ｌ１のいずれかと第３色配線ＳＬｃとに互いに重複することなく電気的に接続される。
【００４２】
複数の画素電極Ｐｘは、複数の第５画素電極Ｐｘ５と、複数の第６画素電極Ｐｘ６と、をさらに含む。  
各第５画素電極Ｐｘ５は、複数の第５スイッチＳＷ５のいずれかに互いに重複することなく電気的に接続される。  
各第６画素電極Ｐｘ６は、複数の第６スイッチＳＷ６のいずれかに互いに重複することなく電気的に接続される。
【００４３】
図２に例示したように、例えば、複数の画素３５は、第１色画素３５ａと、第２色画素３５ｂと、第３色画素３５ｃと、を含む。実施形態において、複数の色の組み合わせは、変形が可能である。４色以上の画素３５が設けられても良い。以下では、３色の画素３５が設けられる場合の例について、説明する。
【００４４】
図３は、第１の実施形態に係る表示装置を例示する模式的断面図である。  
図３に表したように、表示装置１１０において、第１基板部１０ｕと、第２基板部２０ｕと、表示層３０と、が設けられる。表示装置１１０には、複数の画素３５が設けられる。図３は、１つの画素３５の部分を例示している。
【００４５】
第１基板部１０ｕには、例えば、第１基板１０と、ゲート線ＧＬ（第１配線Ｌ１）と、スイッチ素子１１と、信号線ＳＬ（第２配線Ｌ２）と、コモン線ＣＬ（第３配線Ｌ３）と、画素電極Ｐｘと、が設けられる。
【００４６】
ゲート線ＧＬ及び信号線ＳＬは、第１基板部１０ｕの上面にＸ−Ｙ方向に延在して設けられている。この例では第１基板１０は、光透過性である。また、スイッチ素子１１として、ＴＦＴが用いられる。スイッチ素子１１は、半導体層１２を含む。半導体層１２は、第１部分１２ａ（例えばソース）と、第２部分１２ｂ（例えばドレイン）と、第３部分１２ｃ（例えばチャネル）と、を含む。第３部分１２ｃは、第１部分１２ａと第２部分１２ｂとの間に配置される。スイッチ素子１１は、ゲート１１ｇと、ゲート絶縁膜１１ｉと、をさらに含む。第３部分１２ｃとゲート１１ｇとの間に、ゲート絶縁膜１１ｉが設けられる。この例では、信号線ＳＬの一部（第１接続部１５ａ）が、第１部分１２ａと電気的に接続される。また、第１接続部１５ａは、第１接続導電部１５ｃにより第１部分１２ａと電気的に接続される。一方、第２部分１２ｂの上に、第２接続導電部１５ｄが設けられる。第２接続導電部１５ｄの上に、第２接続部１５ｂが設けられる。
【００４７】
第１接続部１５ａ（信号線ＳＬ）と半導体層１２との間、第１接続導電部１５ｃと半導体層１２との間、第２接続部１５ｂと半導体層１２との間、及び、第２接続導電部１５ｄと半導体層１２との間に、層間絶縁層１３が設けられる。
【００４８】
この例では、コモン線ＣＬが、信号線ＳＬなどの第２金属層の上に設けられる。コモン線ＣＬと信号線ＳＬとの間には、第１絶縁層Ｉ１が設けられる。第１絶縁層Ｉ１は、複数の信号線ＳＬと複数のコモン線ＣＬとの間に設けられる。
【００４９】
コモン線ＣＬの上に、画素電極Ｐｘが設けられる。この例では、画素電極Ｐｘは、帯状の１又は複数の部分Ｐｘｓを含む。複数の部分Ｐｘｓは、Ｘ−Ｙ平面内で互いに離間する。この例では、画素電極Ｐｘは、第３接続導電部１７により、第２接続部１５ｂと電気的に接続される。
【００５０】
コモン線ＣＬ及び画素電極Ｐｘはいずれも、光透過性の導電層が用いられる。本実施形態においては、ＩＴＯ（Ｉｎｄｉｕｍ  Ｔｉｎ  Ｏｘｉｄｅ）が用いられる。画素電極Ｐｘとコモン線ＣＬとの間には、第２絶縁層Ｉ２が設けられる。当該第２絶縁層Ｉ２の厚さは、液晶層の厚さよりも十分小さい。なお、ＩＰＳ（Ｉｎ  Ｐｌａｎｅ  Ｓｗｉｔｃｈｉｎｇ）等のその他の横電界モードやＶＡ（Ｖｉｒｔｉｃａｌ  Ａｌｉｇｎｍｅｎｔ）、ＴＮ（Ｔｗｉｓｔｅｄ  Ｎｅｍａｔｉｃ）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）等の縦電界モードでも採用可能である。
【００５１】
この例では、画素電極Ｐｘの上に第１配向膜１８が設けられる。
【００５２】
第２基板部２０ｕは、Ｚ軸方向において、第１基板部１０ｕと離間する。この例では、第２基板部２０ｕは、第２基板２０と、カラーフィルタ層２５と、第２配向膜２８と、検出線ＲＬ（第４配線Ｌ４）と、を含む。検出線ＲＬは、スイッチ素子１１及び複数の画素電極Ｐｘと離間している。
【００５３】
この例では、第２基板２０は、光透過性である。検出線ＲＬは、光透過性である。本実施形態においては、検出線ＲＬとしてＩＴＯからなる透過性の導電膜が採用されているが、金属による細線を検出線ＲＬとして採用することも可能である。カラーフィルタ層２５は、赤着色層、緑着色層及び青着色層を含む。赤着色層、緑着色層及び青着色層のそれぞれは、複数の画素３５のそれぞれに対応して配置される。カラーフィルタ層２５の色は、４色以上でも良い。
【００５４】
第１基板部１０ｕと第２基板部２０ｕとの間に、複数の液晶分子を有する液晶層からなる表示層３０が設けられる。
【００５５】
また、一対の基板１０、２０を挟んで第１偏光層５１と第２偏光層５２とが設けられる。また、バックライト部５５が第１偏光層５１に対向して設けられている。
【００５６】
この例では、画素電極Ｐｘは、帯状の複数の部分Ｐｘｓを含む。画素電極Ｐｘに信号が印加されることにより、画素電極Ｐｘとコモン線ＣＬとの間に、「フリンジ電界」が生じる。当該フリンジ電界により、表示層３０（液晶層）の液晶分子のダイレクタ（長軸）の向きをＸ−Ｙ平面内で変化させる。ダイレクタの向きの変化により、当該箇所の表示層３０の複屈折率及び旋光性の少なくともいずれかが変化する。
かかる表示層３０の光学特性の変化により、バックライト部５５から出射した光の透過率が変化する。すなわち、画素電極Ｐｘに与えられる電気信号（画像信号）に応じて、光の当該画素の透過率が変化する。そして、かかる表示層３０を通じて明るさを変化させた光が、表示装置１１０の上面Ｕｆから出射する。これにより、表示が行われる。
【００５７】
一方、複数の検出線ＲＬと、複数のコモン線ＣＬと、により、表示装置１１０の上面Ｕｆへのタッチ入力が検出される。検出動作において、液晶表示装置１１０の観視者（使用者）の指または入力部材（入力ペン）などが液晶表示装置１１０に接触、または、近接する。検出線ＲＬとコモン線ＣＬとによって形成される電気容量が、上記の接触又は近接により変化する。この電気容量の変化を検出することで、タッチ入力が検出される。
【００５８】
図４（ａ）及び図４（ｂ）は、第１の実施形態に係る表示装置を例示する模式的断面図である。  
これらの図は、表示装置をＸ−Ｚ平面で切断した断面図である。図４（ｂ）は、第１グループＧＰ１に対応する位置での断面図である。図４（ｂ）は、第２グループＧＰ２に対応する位置での断面図である。これらの図においては、検出線ＲＬは省略されている。
【００５９】
図４（ａ）及び図４（ｂ）に表したように、表示装置１１０において、着色層２５が設けられる。この例では、着色層２５は、第２基板部２０ｕに設けられている。例えば、着色層２５と表示層３０との間に、第２配向膜２８（図４では図示しない）が配置される。実施形態において、着色層２５のＺ軸方向における位置は任意である。例えば、着色層２５は、第１基板部１０ｕに設けられても良い。
【００６０】
着色層２５は、第１色の複数の第１色フィルタＦ１と、第２色の複数の第２色フィルタＦ２と、第３色の第３色フィルタＦ３と、をさらに含む。
各色フィルタＦ１〜Ｆ３は、画素列方向に延在して設けられており、第１色フィルタＦ１の一側に第２色フィルタＦ２が設けられ、第１色フィルタＦ１の他側に第３色フィルタＦ３が設けられ、これら第１色フィルタＦ１〜第３色フィルタＦ３の組合せが第２方向Ｄ２に並んで設けられている。また、各色フィルタＦ１〜Ｆ３は、表示層３０を介して第１基板部１０ｕの画素電極Ｐｘの画素列に対向している。すなわち、図４（ａ）に表したように、Ｘ−Ｙ平面に投影したときに、複数の第１色フィルタＦ１の少なくとも一部は、複数の第１画素電極Ｐｘ１と重なる。図４（ｂ）に表したように、Ｘ−Ｙ平面に投影したときに、複数の第１色フィルタＦ１の少なくとも一部は、複数の第２画素電極Ｐｘ２と重なる。
【００６１】
図４（ａ）に表したように、Ｘ−Ｙ平面に投影したときに、複数の第２色フィルタＦ２の少なくとも一部は、複数の第３画素電極Ｐｘ３と重なる。図４（ｂ）に表したように、Ｘ−Ｙ平面に投影したときに、複数の第２色フィルタＦ２の少なくとも一部は、複数の第４画素電極Ｐｘ４と重なる。
【００６２】
図４（ａ）に表したように、Ｘ−Ｙ平面に投影したときに、複数の第３色フィルタＦ３の少なくとも一部は、複数の第５画素電極Ｐｘ５と重なる。図４（ｂ）に表したように、Ｘ−Ｙ平面に投影したときに、複数の第２色フィルタＦ２の少なくとも一部は、複数の第６画素電極Ｐｘ６と重なる。  
第１〜第３色フィルタＦ１〜Ｆ３は、第１方向Ｄ１に沿って、繰り返し設けられる。
【００６３】
制御部６０は、各色配線ＳＬａ〜ＳＬｃに色画像信号を供給し、これによって、各画素電極電位が制御され、表示層３０の光学動作が行われる。これらの動作を実施することで、所望の色を有する所望の表示が行われる。
【００６４】
なお、第２色の視感度は、第１色の視感度よりも高い。第３色の視感度は、第１色の視感度よりも高い。第３色は、第２色とは異なる。本実施形態においては、第１色として青色が採用され、第２色として、赤色が採用され、第３色として、緑色が採用されている。
【００６５】
着色層２５は、第１境界部ｐ１と、第２境界部ｐ２と、第３境界部ｐ３と、を含む。遮光層２７（例えばブラックマトリクス）が、第１境界部ｐ１、第２境界部ｐ２及び第３境界部ｐ３のそれぞれと重なるように設けられる。
【００６６】
図４（ａ）及び図４（ｂ）に表したように、例えば、隣り合う第３配線Ｌ３（コモン線ＣＬ）の間には、間隙Ｇ３（スリット）が設けられている。スリットは、第２方向Ｄ２に延在する。
【００６７】
間隙Ｇ３は、Ｘ−Ｙ平面に投影したときに、第１境界部ｐ１、第２境界部ｐ２及び第３境界部ｐ３の少なくともいずれかと重なる。本実施形態においては、間隙Ｇ３は、第１色の第１画素電極Ｐｘ１と第２画素電極Ｐｘ２とを含む画素列と、第２色の第３画素電極Ｐｘ３と第４画素電極Ｐｘ４とを含む画素列の間の領域（例えば第１境界部ｐ１）と重なる。
なお、間隙Ｇ３は、Ｘ−Ｙ平面に投影したときに、第１色の第１画素電極Ｐｘ１と、第２色の第３画素電極Ｐｘ３と、の間の領域（例えば第３境界部ｐ３）と重なっても良い。
【００６８】
すなわち、図４（ａ）と図４（ｂ）に表したように、複数の第３配線Ｌ３に含まれる第１対向配線ＣＬａは、Ｘ−Ｙ平面に投影したときに、複数の第１画素電極Ｐｘ１、第２画素電極Ｐｘ２、複数の第５画素電極Ｐｘ５、複数の第６画素電極Ｐｘ６と重なる。また、図４（ａ）と図４（ｂ）に表したように、複数の第３配線Ｌ３に含まれる第２対向配線ＣＬｂは、Ｘ−Ｙ平面に投影したときに、複数の第３画素電極Ｐｘ３と、第４画素電極Ｐｘ４とに重なる。第１対向配線ＣＬａは、例えば、第ｊコモン配線ＣＬｊである（ｊは１以上の整数）。第２対向配線ＣＬｂは、例えば、第ｊ＋１コモン配線ＣＬｊ＋１である。
【００６９】
この例では、第１対向配線ＣＬａは、Ｘ−Ｙ平面に投影したときに、複数の第５画素電極Ｐｘ５と重なる。第１対向配線ＣＬａは、Ｘ−Ｙ平面に投影したときに、複数の第６画素電極Ｐｘ６と重なる。
【００７０】
この例では、複数の第５配線Ｌ５がさらに設けられている。複数の第５配線Ｌ５のそれぞれは、第２方向Ｄ２に延在する。複数の第５配線Ｌ５のそれぞれは、複数の第３配線Ｌ３上に設けられている。複数の第５配線Ｌ５のそれぞれの電気抵抗は、複数の第３配線Ｌ３のそれぞれの電気抵抗よりも低い。第５配線Ｌ５は、第３配線Ｌ３の補助配線となる。
【００７１】
既に説明したように、第３配線Ｌ３として、光透過性の導電材料が用いられる。一方、第５配線Ｌ５には、低抵抗の材料（金属など）が用いられる。これにより、第３配線Ｌ３の実効的な抵抗が低減できる。クロストークの発生が抑制できる。
【００７２】
複数の第５配線Ｌ５の少なくともいずれかは、Ｘ−Ｙ平面に投影したときに、複数の第２配線Ｌ２と重なる。この例では、複数の第５配線Ｌ５は、Ｘ−Ｙ平面に投影したときに、第２境界部ｐ２または第３境界部ｐ３と重なる。
【００７３】
以下、表示装置１１０の動作の例について、説明する。以下の例では、表示装置１１０において、表示動作と、タッチ入力の検出動作と、が行われる。
【００７４】
図５は、第１の実施形態に係る表示装置の動作を例示する模式図である。  
図５は、表示装置１１０の動作を例示するタイムチャートである。図５の横軸は、時間である。図５には、検出信号ＴＳＶＣＯＭ、セレクタ信号ＳＥＬＲ、ＳＥＬＧ及びＳＥＬＢ、並びに、ソース信号ＳＳが示されている。検出信号ＴＳＶＣＯＭは、検出動作において、コモン線ＣＬに供給されるＡＣ信号（交流信号）である。第２駆動回路６２に赤色信号線セレクタ、緑色信号線セレクタ、及び、青色信号線セレクタ（図示しない）が、設けられる。これらのセレクタは、信号線ＳＬに電気的に接続されており、当該セレクタにセレクタ信号が順次供給されることにより、時分割的に各色の信号が供給されている信号線と各色の信号線とが順次ＯＮ／ＯＦＦされ、これによって各信号線に当該色の信号が供給されるものとなっている。セレクタ信号ＳＥＬＲ、ＳＥＬＧ及びＳＥＬＢは、赤色信号線セレクタ、緑色信号線セレクタ、及び、青色信号線セレクタにそれぞれ供給される信号である。ソース信号ＳＳは、信号線ＳＬに供給される信号である。これらの信号は、制御部６０により供給される。図５には、ソース信号ＳＳの極性ＰＴが例示されている。極性ＰＴは、本実施形態では、コモン線ＣＬの電位を基準としたときのソース信号ＳＳの信号である。
なお、極性ＰＴとして、グランド電位を基準としたものを採用することも可能である。
【００７５】
図５に表したように、１フレーム期間内に第１表示期間ＤＴ１、第２表示期間ＤＴ２及び非表示期間ＮＤＴが設けられる。第２表示期間ＤＴ２は、第１表示期間ＤＴ１の後の期間である。非表示期間ＮＤＴは、第１表示期間ＤＴ１と第２表示期間ＤＴ２との間の期間である。この例では、表示前期間ＰＤＴがさらに設けられる。表示前期間ＰＤＴは、非表示期間ＮＤＴの後段部分に設けられている。あるいは、表示前期間ＰＤＴは、非表示期間ＮＤＴと第２表示期間ＤＴ２との間の期間と捉えることもできる。
なお、当該１フレーム期間内には、表示期間ＤＴと非表示期間ＮＤＴとが交互に設けられており、ゲート信号による走査を第１画素行から第ｎ画素行に向けて進めていくことにより、各表示期間内で表示及びタッチ検出の対象となる画素行のグループを順次移行させていく。
【００７６】
制御部６０は、第１表示期間ＤＴ１において、第１動作ＯＰ１を実施する。第１動作ＯＰ１においては、第１グループＧＰ１に対応する画素３５において表示が行われる。すなわち、第１グループＧＰ１に対応する画素３５に、表示のための情報が書き込まれる。
【００７７】
制御部６０は、第２表示期間ＤＴ２において、第２動作ＯＰ２を実施する。第２動作ＯＰ２においては、第２グループＧＰ２に対応する画素３５において表示が行われる。すなわち、第２グループＧＰ２に対応する画素３５に、表示のための情報が書き込まれる。
【００７８】
制御部６０は、非表示期間ＮＤＴにおいて、第１動作ＯＰ１及び第２動作ＯＰ２とは異なる第３動作ＯＰ３を行う。
【００７９】
また、制御部６０は、表示前期間ＰＤＴにおいて、第４動作ＯＰ４を行う。第４動作ＯＰ４については、後述する。
【００８０】
第３動作ＯＰ３においては、制御部６０は、例えば、検出信号ＴＳＶＣＯＭとして、交流信号をコモン線ＣＬに供給する。交流信号においては、電圧と、その高電圧よりも電圧が低い低電圧と、が繰り返される。この交流信号は、例えば、複数のパルスを含む。この信号によって、コモン線ＣＬと検出線ＲＬとの間に容量が形成され、当該容量及びその変化を検出することにより、タッチ検出が行われる。すなわち、第３動作ＯＰ３においては、制御部６０は、各コモン線ＣＬと検出線ＲＬとの間の容量を検出すると共に、いずれかの検出線ＲＬに近接する物体（観視者、使用者または操作者など）による、当該検出線ＲＬとコモン線ＣＬの間の容量の変化に基づく電流の変化を検出する。なお、第３動作ＯＰ３においては、セレクタ信号はロー状態（非選択状態）であり、ソース信号ＳＳは、例えば接地電位ＧＮＤである。
【００８１】
第１動作ＯＰ１及び第２動作ＯＰ２においては、セレクタ信号が順次、ハイ状態（選択状態）に設定され、ソース信号ＳＳとして、所望の画像データに対応する画像信号が供給される。このとき、本実施形態においては、第１動作ＯＰ１における、青色に対応するソース信号ＳＳの極性ＰＴは、プラスである。第１動作ＯＰ１における、赤色に対応するソース信号ＳＳの極性ＰＴは、マイナスである。第１動作ＯＰ１における、緑色に対応するソース信号ＳＳの極性ＰＴは、マイナスである。第２動作ＯＰ２における、青色に対応するソース信号ＳＳの極性ＰＴは、マイナスである。第２動作ＯＰ２における、赤色に対応するソース信号ＳＳの極性ＰＴは、プラスである。第２動作ＯＰ２における、緑色に対応するソース信号ＳＳの極性ＰＴは、プラスである。このように、実施形態においては、極性ＰＴが反転される。
【００８２】
以下、第１動作ＯＰ１及び第２動作ＯＰ２の例についてさらに説明する。  
図６は、第１の実施形態に係る表示装置の動作を例示する模式図である。  
図６は、表示装置１１０における信号の極性を例示している。  
図６に表したように、第１グループＧＰ１に対して第１動作ＯＰ１（第１表示動作）が行われ、その後、第３動作ＯＰ３（非表示動作）が行われる。その後、第２グループＧＰ２に対して第２動作ＯＰ２（第２表示動作）が行われる。第３動作ＯＰ３と第２動作ＯＰ２との間に、後述する第４動作ＯＰ４を実施しても良い。
【００８３】
第１動作ＯＰ１では、制御部６０は、第１グループＧＰ１に属する画素に対するゲート線ＧＬを第２グループＧＰ２に向かう方向に順次選択する（当該第１グループＧＰ１に属する画素行をゲート線ＧＬが選択している期間を第１表示期間ＤＴ１とする）と共に、第１グループＧＰ１に含まれる複数の第１配線Ｌ１（図２参照）を順次選択する。ここで、制御部６０は、第１色画像信号ＳｉｇＣ１（図５参照）を、第１色配線ＳＬａに供給する。第１色画像信号ＳｉｇＣ１は、第１対向配線ＣＬａの電位を基準としたときに第１極性である。図６の例では、第１極性は、プラス「＋」である。
【００８４】
同様に、制御部６０は、第１表示期間ＤＴ１において、さらに、第２極性（本実施形態においてはマイナス）の第３色画像信号ＳｉｇＣ３（図５参照）を第２色配線ＳＬｂに供給する。  
第２極性は、第１対向配線ＣＬａの電位を基準としたときに、第１極性とは逆の極性である。この例では、第２極性は、マイナス「−」である。例えば、第１極性及び第２極性は、フレーム周期ごとに互いに入れ替わる。
【００８５】
同様に、制御部６０は、第１表示期間ＤＴ１において、さらに、第２極性（本実施形態においてはマイナス）の第５色画像信号ＳｉｇＣ５（図５参照）を第３色配線ＳＬｃに供給する。
【００８６】
また、第２動作ＯＰ２では、制御部６０は、第２グループＧＰ２に属する画素に対するゲート線ＧＬを第１グループＧＰ１から離間する方向に順次選択する（当該第２グループＧＰ２に属する画素行をゲート線ＧＬが選択している期間を第２表示期間ＤＴ２とする）と共に、第２グループＧＰ２に含まれる複数の第１配線Ｌ１（図２参照）を順次選択して、第２色画像信号ＳｉｇＣ２（図５参照）を、第１色配線ＳＬａに供給する。第２色画像信号ＳｉｇＣ２は、第２極性である。
【００８７】
また、制御部６０は、第２表示期間ＤＴ２において、さらに、第１極性（例えばプラス）の第４色画像信号ＳｉｇＣ４(図５参照）を第２色配線ＳＬｂに供給する。
【００８８】
また、制御部６０は、第２表示期間ＤＴ２において、さらに第１極性の第６色画像信号ＳｉｇＣ６（図５参照）を第３色配線ＳＬｃに供給する。
【００８９】
画素列ごとの表示期間に伴う信号供給の状態を詳述すると、あるフレーム期間の第１動作ＯＰ１において、第１グループＧＰ１に対応する青色画素（第１画素電極Ｐｘ１）には、正極性の第１色画像信号ＳｉｇＣ１が供給される。第１動作ＯＰ１の後に、非表示動作の第３動作ＯＰ３が行われる。そして、第３動作ＯＰ３の後の第２動作ＯＰ２において、第２グループＧＰ２に対応する青色画素（第２画素電極Ｐｘ２）には、負極性の第２色画像信号ＳｉｇＣ２が供給される。このように、本実施形態においては、非表示動作の前後の表示動作において、画素３５に供給される信号の極性が反転する。
【００９０】
同様に、第１グループＧＰ１に対応する赤色画素（第３画素電極Ｐｘ３）には、負極性の第３色画像信号ＳｉｇＣ３が供給される。第２動作ＯＰ２において、第２グループＧＰ２に対応する赤色画素（第４画素電極Ｐｘ４）には、負極性の第４色画像信号ＳｉｇＣ４が供給される。
【００９１】
同様に、第１グループＧＰ１に対応する緑色画素（第５画素電極Ｐｘ５）には、負極性の第５色画像信号ＳｉｇＣ５が供給される。第２動作ＯＰ２において、第２グループＧＰ２に対応する緑色画素（第６画素電極Ｐｘ６）には、負極性の第６色画像信号ＳｉｇＣ６が供給される。
【００９２】
すなわち、第１グループＧＰ１に属する画素においては、画像信号の極性（コモン線ＣＬを基準にした時の極性）が、第１方向Ｄ１（Ｘ軸方向）に沿って交互に変化する。すなわち、第１グループＧＰ１に属する画素に限った駆動状態でいうと、当該第１グループＧＰ１ではＶライン反転（カラム反転）駆動が行われる。
【００９３】
同様に、第２グループＧＰ２に属する画素においても、画像信号の極性（コモン線ＣＬを基準にした時の極性）が、第１方向Ｄ１（Ｘ軸方向）に沿って交互に変化する。第２グループＧＰ２に属する画素に限った駆動状態でいうと、当該第１グループＧＰ１ではＶライン反転（カラム反転）駆動が行われる。
【００９４】
そして、本実施形態においては、第１グループＧＰ１に対応する領域における極性と、第２グループＧＰ２に対応する領域における極性とが全色において互いに入れ替わる。このように、カラム反転駆動であって、表示期間でない非表示期間（ブランキング期間）を境にさらに極性を反転させる駆動を例えば、「分割Ｖライン反転」駆動と称する。
【００９５】
かかる分割Ｖライン駆動において、制御部６０は、所定の画素電極Ｐｘに対し隣り合う画素列間で互いに極性を反転させた画素信号を供給する状態で、さらに、第１表示期間ＤＴ１に画素信号を印加される第１画素行の画素電極のグループ（本実施形態では第１グループＧＰ１）と、当該第１画素行に並んで設けられ、第１表示期間後の第２表示期間ＤＴ２に画素信号を印加される第２画素行（本実施形態では第２グループＧＰ２）との間でも極性を反転させた画素信号を供給する、ともいえる。
【００９６】
図７は、参考例の表示装置の動作を例示する模式図である。  
図７は、参考例の表示装置１１９における信号の極性を例示している。表示装置１１９における第１基板部１０ｕ及び第２基板部２０ｕの構成は、表示装置１１０と同じである。表示装置１１９における動作は、表示装置１１０における動作とは異なる。以下、表示装置１１９における動作に説明する。
【００９７】
図７に表したように、表示装置１１９においては、各色の画素において、第１動作ＯＰ１と、第２動作ＯＰ２と、で、画素電極に供給される信号の極性が同じである。すなわち、表示装置１１９においては、第１グループＧＰ１及び第２グループＧＰ２のそれぞれにおいて、Ｖライン反転（カラム反転）駆動が行われる。そして、第１グループＧＰ１に対応する領域における極性は、第２グループＧＰ２に対応する領域における極性と同じである。
【００９８】
発明者の実験によると、表示装置１１９にて第１表示期間ＤＴ１〜非表示動作期間ＮＤＴ〜第２表示期間ＤＴ２の駆動を行うと若干の表示の不均一性が発生することが見いだされ、他方、本実施形態に係る表示装置１１０においては、非表示動作（第３動作ＯＰ３）を行った場合にも、表示装置１１９よりも均一な表示が得られることが分かった。すなわち、本実施形態に係る表示装置１１０においては、高品位の表示が得られる。
【００９９】
以下、表示装置１１９において生じる表示の不均一性の例について説明する。  
図８（ａ）〜図８（ｃ）は、表示装置の特性を例示する模式図である。  
図８（ａ）は、表示装置１１９において生じる表示の不均一性を例示している。図８（ａ）は、表示装置１１９の一部の領域の断面図である。図８（ｃ）は、表示装置１１９における電位を例示している。
【０１００】
図８（ａ）に例示したように、第１ゲート線Ｇｔ１〜第６ゲート線Ｇｔ６と、複数の信号線ＳＬと、が設けられる。以下では、カラム反転駆動によって、正極性の信号を画素電極Ｐｘに書き込む例について説明する。図８（ａ）においては、スイッチ素子１１は省略されている。信号線ＳＬとして、第１信号線Ｓｉｇ１と、第２信号線Ｓｉｇ２と、に着目する。
【０１０１】
図８（ａ）に例示したように、第１ゲート線Ｇｔ１と第１信号線Ｓｉｇ１との交差位置に、画素電極Ｐｉｘ１が設けられる。第２ゲート線Ｇｔ２と第１信号線Ｓｉｇ１との交差位置に、画素電極Ｐｉｘ２が設けられる。第２ゲート線Ｇｔ２と第２信号線Ｓｉｇ２との交差位置に、画素電極Ｐｉｘ３が設けられる。第３ゲート線Ｇｔ３と第２信号線Ｓｉｇ２との交差位置に、画素電極Ｐｉｘ４が設けられる。第４ゲート線Ｇｔ４と第２信号線Ｓｉｇ２との交差位置に、画素電極Ｐｉｘ５が設けられる。第５ゲート線Ｇｔ５と第２信号線Ｓｉｇ２との交差位置に、画素電極Ｐｉｘ６が設けられる。
【０１０２】
この例では、図８（ｂ）に例示するように、画素電極Ｐｉｘ２と画素電極Ｐｉｘ３との間の領域に、コモン線ＣＬの間隙Ｇ３が配置される。すなわち、第１コモン線ＣＬ１は、Ｘ−Ｙ平面に投影したときに、画素電極Ｐｉｘ２と重なる。第２コモン線ＣＬ２は、Ｘ−Ｙ平面に投影したときに、画素電極Ｐｉｘ３と重なる。間隙Ｇ３は、Ｘ−Ｙ平面に投影したときに、信号線ＳＬ（この例では、第２信号線Ｓｉｇ２）と重なる。
【０１０３】
図８（ａ）に例示したように、第１信号線Ｓｉｇ１に対応する画素電極Ｐｘ（例えば画素電極Ｐｉｘ１及び画素電極Ｐｉｘ２など）には、同じ階調（第１階調）の表示のための信号が供給される。図８（ｂ）に例示したように、画素電極Ｐｉｘ３及び画素電極Ｐｉｘ６には、第１階調の表示のための信号が供給される。そして、画素電極Ｐｉｘ４及び画素電極Ｐｉｘ５には、第２階調の表示のための信号が供給される。例えば、第２階調の表示のための信号の大きさは、第１階調の表示のための信号の大きさよりも大きい。画素電極Ｐｘと対向電極（コモン配線ＣＬ）との間の電位差が小さいときに、暗表示（ノーマリダーク）とする。第２階調の明るさは、第１階調の明るさよりも明るい。
【０１０４】
このような表示を行った場合に、例えば、画素電極Ｐｉｘ３に対応する画素３５においては、表示すべき明るさ（第１階調）よりも明るくなり、画素電極Ｐｉｘ６に対応する画素３５においては、表示すべき明るさ（第１階調）よりも暗くなることがあることが分かった。すなわち、表示の不均一性が生じる。すなわち、縦クロストークが生じる。
【０１０５】
発明者の検討によると、この不均一性は、画素電極Ｐｘと、信号線ＳＬと、の間に容量が形成され、この容量によって、画素電極Ｐｘの電位が変動することが原因であると推定される。
【０１０６】
図８（ｃ）は、信号線ＳＬの電位、及び、画素電極Ｐｘの電位を例示している。図８（ｃ）において横軸は時間である。図８（ｃ）には、コモン線ＣＬのコモン電位ＣＯＭが表示されている。
【０１０７】
図８（ｃ）に例示したように、第１信号線Ｓｉｇ１の電位は、第１階調に応じた電位である。一方、第２信号線Ｓｉｇ２の電位は、第３ゲート線Ｇｔ３及び第４ゲート線Ｇｔ４が選択されているときに、第２階調に応じた電位（第１階調よりも高い電位）である。なお、カラム反転駆動での状態を示すので、ｓｉｇ１とｓｉｇ２とでは極性が反転している。
【０１０８】
図８（ｃ）に例示したように、画素電極Ｐｉｘ１及びＰｉｘ２は、所望の電位に設定される。これに対して、画素電極Ｐｉｘ３においては、所望の第１階調の電位に書き込まれた後に、第３ゲート線Ｇｔ３及び第４ゲート線Ｇｔ４が選択されている期間において、所定の電位（第２階調の電位）よりも低い電位に変動する。これは、画素電極Ｐｉｘ３の電位が、画素電極Ｐｉｘ３と第２信号線Ｓｉｇ２との間のカップリングによって、画素電極Ｐｉｘ３の電位がより低い方（コモン配線の電位に対してより遠い方）に変動することが原因であると考えられる。すなわち、画素電極Ｐｉｘ３においては、電位変動ΔＶ１が生じる。このため、画素電極Ｐｉｘ３に対応する画素では、所望の明るさよりも明るくなると考えられる。
【０１０９】
逆に、図８（ｃ）に例示したように、画素電極Ｐｉｘ６においては、画素電極Ｐｉｘ６の電位が、画素電極Ｐｉｘ６に供給すべき信号を送っている第２信号線Ｓｉｇ２と、画素電極Ｐｉｘ４及びＰｉｘ５との間のカップリングによって、変動する（画素電極Ｐｉｘ４、Ｐｉｘ５のマイナス電位側に引っ張られる）。このため、画素電極Ｐｉｘ６においては、電位変動ΔＶ２が生じる。電位変動ΔＶ２は、電位変動ΔＶ１とは逆方向の電位変動である。このため、画素電極Ｐｉｘ６においては、所望の明るさよりも暗くなると考えられる。このように、表示装置１１９においては、画素電極Ｐｘと信号線ＳＬとの間に形成される容量カップリングによって、画素電極Ｐｘの電位（電位の時間的な平均値）が変動し、その結果、表示の不均一性が生じる。この容量は、図８（ｂ）に例示したように、主としてコモン線ＣＬの間隙Ｇ３が設けられる場所に生じる。すなわち、この容量に起因した表示の不均一性は、複数の信号線ＳＬを含むグループに対して１つのコモン線ＣＬが設けられる場合、より詳細には、信号線ＳＬと平行にコモン線ＣＬを配置した場合に特異的に生じる現象であると考えられる。
【０１１０】
このような表示の不均一性を、例えば、上下左右の画素ごとに極性を反転させるドット反転駆動やまたは第２方向Ｄ２に並ぶ画素行ごとに極性を反転させるライン反転駆動を用いることで抑制する試みが考えられる。しかしながら、これらの方法では、消費電力が増大する。
【０１１１】
本実施形態に係る表示装置１１０においては、第１グループＧＰ１及び第２グループＧＰ２のそれぞれにおいて、Ｖライン反転駆動を行い、さらに、第１グループＧＰ１と第２グループＧＰ２とで、信号線ＳＬの電位（画素電極Ｐｘの電位）を反転させる。非表示期間の前後で極性を反転させることにより、非表示期間前後で信号線ＳＬの電位が平均化されることとなる。この結果、表示の不均一性（例えば縦クロストーク）が抑制される。これにより、高品位の表示を提供できる。
【０１１２】
さらに、表示装置１１９においては、画素電極Ｐｘと信号線ＳＬとの間に生じる容量によっても、表示の不均一性が生じることが分かった。  
図９は、表示装置の特性を例示する模式的断面図である。  
図９に表したように、表示装置１１９においては、コモン線ＣＬの間隙Ｇ３の位置に、信号線ＳＬによる電界Ｅが生じる。この電界Ｅによって、表示の不均一が生じる場合がある。
【０１１３】
例えば、表示面の一部の領域で第１階調の表示を行い、その他の領域で第２階調の表示を行うとする。第１階調の表示においては、例えば、信号線ＳＬの電位は、コモン線ＣＬのコモン電位ＣＯＭ（例えば０ボルト）と同じである。例えば、第２階調の表示においては、例えば、信号線ＳＬの電位は、５ボルトである。この場合、第２階調の表示を行う信号線ＳＬの電位が、表示層３０の光学動作に影響を与える。例えば、信号線ＳＬと画素電極Ｐｘとの間に生じる電界が、表示層３０に加わる。表示層３０として液晶が用いられる場合、この電界Ｅが液晶に作用する。このため、間隙Ｇ３に対応した部分において、例えば、光漏れが生じる。
【０１１４】
なお、スイッチ素子１１において、例えば、ソース−ゲート間容量によって電圧が分割される。これにより、書き込みが終わった後の画素電極Ｐｘの電位は、書き込み時の信号線ＳＬの電位よりも低くなる。信号線ＳＬの中心電位は、画素電極Ｐｘの中心電位心よりも高い。信号線ＳＬの中心電位は、コモン線ＣＬの中心電位よりも高くされる。
【０１１５】
実施形態においては、第１グループＧＰ１及び第２グループＧＰ２のそれぞれにおいて、Ｖライン反転駆動を行い、さらに、第１グループＧＰ１と第２グループＧＰ２とで、信号線ＳＬの電位（画素電極Ｐｘの電位）を反転させる。これにより、表示の不均一性（上記の光漏れ）が抑制される。
【０１１６】
このように、本実施形態に係る表示装置１１０においては、非表示動作（例えば入力動作や表示休止など）を行う場合においても、表示の不均一性が抑制できる。その結果、高品位の表示が提供できる。
カラム反転駆動（Ｖライン反転駆動）を行うと、上記のように、縦クロスロークが生じ、表示が不均一になる場合がある。そして、上記のように、画素電極Ｐｘと信号線ＳＬとの間に寄生容量が形成される場合がある。例えば、コモン線ＣＬを信号線ＳＬに沿って分割すると、コモン線ＣＬどうしのスリット部において、信号線ＳＬと画素電極Ｐｘとの間の寄生容量によってクロストークが発生する。このようなクロストークにより表示が不均一になる。
例えば、ドット反転駆動やライン反転駆動においては、消費電力が増大する。これに対して、カラム反転駆動においては、低い消費電力を維持できる。カラム反転駆動において、スリットに対応する部分を青色画素に設定する。青色は、視感度が赤色や緑色に比べて低い。このため、青色においては、表示の不均一性が知覚されにくい。
実施形態においては、赤色画素に対応する信号線ＳＬ、及び、青色画素に対応する信号線ＳＬにおいては、コモン線ＣＬにスリットを設けない。そして、視感度の低い青色画素に対応する信号線ＳＬの部分に、コモン線ＣＬのスリットを設ける。これにより、スリットに起因して生じる不均一性が長じても知覚され難くできる。さらに、青色画素においては、第１グループＧＰ１と第２グループＧＰ２とにおいて、信号の極性を反転させる。これにより、より均一な表示が可能となる。
一方、スリットが設けられない赤色画素及び緑色画素においては、クロストークが抑制されないため、表示は均一である。
本実施形態に係る表示装置１１０においては、極性反転による画素電位の変動に起因した明るさの変動が抑制できる。
【０１１７】
さらに、図５に例示したように、表示装置１１０においては、第３動作ＯＰ３（非表示動作）内で、第４動作ＯＰ４を実施する。第４動作ＯＰ４においては、第２動作ＯＰ２と同じ極性の信号（プリチャージ信号）が、信号線ＳＬに供給される。
【０１１８】
プリチャージを行わない場合、表示装置１１０において、第３動作ＯＰ３（非表示動作）からただちに第２動作ＯＰ２（表示動作）に移行することとなるが、これらの動作の移行に伴って、信号線ＳＬの電位と、コモン線ＣＬの電位の少なくともいずれかが、急激に変更されるものとなる。この結果、信号線ＳＬとコモン線ＣＬとの間には、容量が形成される。そして、この容量に起因して、その後の信号線ＳＬの電位の変化に時間遅れが生じる場合がある。かかる不具合を解消すべく、第２動作ＯＰ２の前の表示前期間ＰＤＴにおいて、表示のための準備動作（プリチャージ）を行う。これにより、上述のごとき時間遅れを発生させることなく、表示の不均一性がより抑制できる。
【０１１９】
このとき、プリチャージ信号の極性を、第２動作ＯＰ２における信号と同じ極性にする。これにより、表示の均一性を向上できる。
【０１２０】
より具体的には、制御部６０は、表示前期間ＰＤＴにおいて、第４動作ＯＰ４をさらに実施する。第４動作ＯＰ４においては、第２極性（例えば、負極性）の第１色表示前信号ＳｉｇＰ１（図５参照）を、第１色配線ＳＬａに供給する。同様に、第１極性（例えば、正極性）の第２色表示前信号ＳｉｇＰ２を、第２色配線ＳＬｂに供給する。同様に、第１極性（例えば、正極性）の第３色表示前信号ＳｉｇＰ３を、第３色配線ＳＬｃに供給する。
【０１２１】
このとき、このプリチャージ信号として、第１動作ＯＰ１において、最後に供給した（書き込んだ）信号の応じた信号を用いても良い。
【０１２２】
より具体的には、第１グループＧＰ１に含まれる複数の第１配線Ｌ１は、第２グループＧＰ２に最も近い最後の第１配線Ｌ１（第（ｉ−１）ゲート線ＧＬｉ−１、図２参照）を含む。このとき、制御部６０は、最後の第１配線Ｌ１（（第（ｉ−１）ゲート線ＧＬｉ−１）が選択されたときに、第１色配線ＳＬａに、第１色最後信号ＳｉｇＬ１（最後の１Ｈの信号、図５参照）を供給する。そして、第４動作ＯＰ４のタイミングで、再度第１色配線ＳＬａに、第１色最後信号ＳｉｇＬ１（最後の１Ｈの信号、図５参照）を供給する。  
同様に、最後の第１配線Ｌ１（（第（ｉ−１）ゲート線ＧＬｉ−１）が選択されたときに、第２色配線ＳＬｂに、第２色最後信号ＳｉｇＬ２（最後の１Ｈの信号、図５参照）を供給する。そして、第４動作のタイミングで、再度第２色配線ＳＬｂに、第２色最後信号ＳｉｇＬ２（最後の１Ｈの信号、図５参照）を供給する。
同様に、最後の第１配線Ｌ１（（第（ｉ−１）ゲート線ＧＬｉ−１）が選択されたときに、第３色配線ＳＬｃに、第３色最後信号ＳｉｇＬ３を供給する。そして、第４動作ＯＰ４のタイミングで、再度第３色配線ＳＬｃに、第３色最後信号ＳｉｇＬ３を供給する。
なお、第４動作ＯＰ４のタイミングに供給する信号は、最後信号と極性を判定させた信号を採用することもできる。
換言すると、かかる駆動において、制御部６０は、第１表示期間ＤＴ１において、第１グループＧＰ１に属する第１配線（ゲート線ＧＬ）を順次選択して、第３配線（コモン線ＣＬ）の電位を基準とした第１極性の色画像信号Ｓｉｇを各色配線ＳＬａ、ＳＬｂ、ＳＬｃに供給する第１動作ＯＰ１と、第２表示期間ＤＴ２において、第２グループＧＰ２に属する第１配線（ゲート線ＧＬ）を順次選択して、第３配線（コモン線ＣＬ）の電位を基準とした電位であって、第１極性とは逆の第２極性の色画像信号Ｓｉｇを各色配線ＳＬａ、ＳＬｂ、ＳＬｃに供給する第２動作ＯＰ２と、非表示期間ＮＤＴにおいて、第１動作及び第２動作とは異なる第３動作ＯＰ３とを実施し、非表示期間ＮＤＴの後段の期間となる表示前期間ＰＤＴにおいて、第２極性の第１色表示前信号を第１色配線ＳＬａに供給し、第１極性の第２色表示前信号を第２色配線ＳＬｂに供給し、第１極性の第３色表示前信号を第３色配線ＳＬｃに供給する第４動作ＯＰ４を実施するともいえる。
【０１２３】
このような第４動作ＯＰ４（例えば、表示のための準備動作、すなわち、信号線ＳＬへのプリチャージ）を実施することで、表示の不均一性がより抑制できる。
図１０は、表示装置を例示する模式図である。  
図１０は、表示装置１１０の制御部６０に設けられる第２駆動回路６２を例示している。  
図１０に表したように、第１ソースアンプＳ１〜第６ソースアンプＳ６が設けられる。第１ソースアンプＳ１及び第４ソースアンプＳ４は、例えば赤色画素用の信号を出力する。第２ソースアンプＳ２及び第５ソースアンプＳ５は、例えば緑色画素用の信号を出力する。第３ソースアンプＳ１及び第６ソースアンプＳ６は、例えば青色画素用の信号を出力する。
この例では、第１セレクタＳＥＬ１と、第２セレクタＳＥＬ２と、が設けられる。例えば、１つのソースアンプからの出力が、これらのセレクタにより、切り替えられて、複数の信号線ＳＬのそれぞれに供給される。
反転駆動を行う画素電極Ｐｘ（例えば青色用）と、反転駆動を行わない画素電極Ｐｘ（例えば赤色用及び緑色用）と、は、互いに異なるソースアンプに電気的に接続される。もし、１つのソースアンプにおいて、極性を反転する場合と、しない場合と、があると、電圧の切り替えに時間を要する。別のソースアンプを設けることで、電圧の切り替えの回数が減少し、高速の駆動が可能になる。
このように、表示装置１１０においては、制御部６０は、第１色配線ＳＬａに電気的に接続される第１ソースアンプＳ１と、第２色配線ＳＬｂに電気的に接続される第２ソースアンプＳ２と、を含む。制御部６０は、第３色配線ＳＬｃに電気的に接続されるソースアンプ（第３ソースアンプＳ３）をさらに含む。このように、独立したソースアンプを設けることで、高速の駆動が可能になる。
【０１２４】
図１１（ａ）及び図１１（ｂ）は、第１の実施形態に係る別の表示装置を例示する模式的断面図である。
これらの図は、本実施形態に係る別の表示装置１１１を例示している。  
図１１（ａ）及び図１１（ｂ）は、図４（ａ）及び図４（ｂ）に例示した断面とは異なる断面を例示している。図１１（ａ）は、第１グループＧＰ１に対応する部分の断面図である。図１１（ｂ）は、第２グループＧＰ１に対応する部分の断面図である。図１１（ａ）及び１１（ｂ）に例示した構成以外は、図４（ａ）及び図４（ｂ）に例示した構成と同じである。すなわち、表示装置１１１においては、第１〜第３色フィルタＦ１〜Ｆ３が設けられている。
【０１２５】
そして、図１１（ａ）及び図１１（ｂ）に例示したように、表示装置１１１においては、第４色フィルタＦ４がさらに設けられている。第４色フィルタＦ４は、第１色フィルタＦ１とは異なる色である。第１色フィルタＦ１が青色であり、第４色フィルタＦ４は、例えば、白色である。第４色フィルタは、緑色または黄色でも良い。
【０１２６】
複数の画素電極Ｐｘは、第７画素電極Ｐｘ７と、第８画素電極Ｐｘ８と、をさらに含む。第７画素電極Ｐｘ７及び第８画素電極Ｐｘ８は、スイッチ素子１１（これらの図では図示しない）を介して、第１色配線ＳＬａに電気的に接続されている。
【０１２７】
図１１（ａ）に表したように、Ｘ−Ｙ平面に投影したときに、第７画素電極Ｐｘ７は、第４色フィルタＦ４と重なる。図１１（ｂ）に表したように、Ｘ−Ｙ平面に投影したときに、第８画素電極Ｐｘ８は、第４色フィルタＦ４と重なる。第７画素電極Ｐｘ７及び第８画素電極Ｐｘ８は、第４色に対応する画素電極Ｐｘである。
【０１２８】
図１２は、第１の実施形態に係る別の表示装置を例示する模式図である。  
図１２は、本実施形態に係る表示装置１１１の構成及び動作を例示している。  
図１２に例示したように、第（ｉ−３）ゲート線ＧＬｉ−３及び第（ｉ＋２）ゲート線ＧＬｉ＋２（ｉは、４以上の整数）がさらに設けられる。第（ｉ−３）ゲート線ＧＬｉ−３は、第１グループＧＰ１に含まれる。第（ｉ＋２）ゲート線ＧＬｉ＋２は、第２グループＧＰ２に含まれる。
【０１２９】
第７画素電極Ｐｘ７は、第１グループＧＰ１に含まれるゲート線ＧＬ（この例では、第（ｉ−１）ゲート線ＧＬｉ−１）と、第１色配線ＳＬａと、に接続されるスイッチ素子１１（第７スイッチＳＷ７）に電気的に接続される。第８画素電極Ｐｘ８は、第２グループＧＰ２に含まれるゲート線ＧＬ（この例では、第（ｉ＋２）ゲート線ＧＬｉ＋２）と、第１色配線ＳＬａと、に接続されるスイッチ素子１１（第８スイッチＳＷ８）に電気的に接続される。
【０１３０】
このように、第１色配線ＳＬａに、第１画素電極Ｐｘ１（青色）及び第２画素電極Ｐｘ２（青色）に加えて、第７画素電極Ｐｘ７（第４色）及び第８画素電極Ｐｘ８（第４色）が、さらに電気的に接続されても良い。
【０１３１】
すなわち、第１色配線ＳＬａに、第１色の画素電極Ｐｘに加えて、第４色の画素電極Ｐｘが設けられても良い。
【０１３２】
例えば、表示装置１１１において、第１色の複数の第１色フィルタＦ１が設けられる。  複数のスイッチ素子１１は、第７スイッチＳＷ７と、第８スイッチＳＷ８と、を含む。  第７スイッチＳＷ７は、第１グループＧＰ１に含まれる複数の第１配線Ｌ１のいずれか（この例では、第（ｉ−１）ゲート線ＧＬｉ−１）と、第１色配線ＳＬａと、に電気的に接続される。  
第８スイッチＳＷ８は、第２グループＧＰ２に含まれる複数の第１配線Ｌ１のいずれか（この例では、第（ｉ＋２）ゲート線ＧＬｉ＋２）と、第１色配線ＳＬａと、に電気的に接続される。
【０１３３】
複数の画素電極Ｐｘは、第７画素電極Ｐｘ７と、第８画素電極Ｐｘ８と、を含む。  
第７画素電極Ｐｘ７は、第７スイッチＳＷ７と電気的に接続される。  
第８画素電極Ｐｘ８は、第８スイッチＳＷ８と電気的に接続される。
【０１３４】
Ｘ−Ｙ平面に投影したときに、複数の第１色フィルタＦ１の少なくとも一部は、複数の第１画素電極Ｐｘ１及び複数の第２画素電極Ｐｘ２と重なる。  
複数の第１色フィルタＦ１は、第７画素電極Ｐｘ７及び第８画素電極Ｐｘ８と重ならない。この例では、第４色フィルタＦ４が、第７画素電極Ｐｘ７及び第８画素電極Ｐｘ８と重なる。
【０１３５】
このとき、制御部６０は、第７画素電極Ｐｘ７の極性を第１画素電極Ｐｘ１の極性と同じにする。そして、制御部６０は、第８画素電極Ｐｘ８の極性を第２画素電極Ｐｘ２の極性と同じにする。
【０１３６】
例えば、制御部６０は、第１動作ＯＰ１において、第１グループＧＰ１に含まれる複数の第１配線Ｌ１のいずれかを選択して、さらに、第１極性（例えば正極性）の第７色画像信号ＳｉｇＣ７を、第１色配線ＳＬａに供給する。  
制御部６０は、第２動作ＯＰ２において、第２グループＧＰ２に含まれる複数の第１配線Ｌ１のいずれかを選択して、さらに、第２極性（例えば負極性）の第８色画像信号ＳｉｇＣ８を、第１色配線ＳＬａに供給する。
【０１３７】
この場合も、表示の不均一性（縦クロストーク及び光漏れの少なくともいずれか）が抑制される。表示装置１１１においても、表示の不均一性が抑制され、高品位の表示を提供できる。
実施形態においては、第１色、第２色及び第３色を含む複数の画素３５を含む表示層３０が設けられる。そして、複数の画素３５を駆動する制御部６０が設けられる。制御部６０は、複数の画素３５の全体をカラム反転駆動する。制御部６０は、第１表示期間と第２表示期間との間に、第１〜第３色の画素のいずれかの極性を反転させる。例えば、制御部６０は、第１色の画素の極性を反転させる。第１色の視感度は、第２色の視感度よりも低く、第３色の視感度よりも低い。
制御部６０は、Ｖブランキングの前後で、第１〜第３色の画素のいずれかの極性を反転させる。
【０１３８】
（第２の実施形態）
図１３（ａ）〜図１３（ｃ）は、第２の実施形態に係る別の表示装置を例示する模式図である。  
図１３（ａ）〜図１３（ｃ）は、本実施形態に係る表示装置１２１〜１２３の動作を例示している。これらの図は、第３動作ＯＰ３におけるソース信号ＳＳを例示している。
【０１３９】
例えば、図１３（ａ）に例示したように、第１動作ＯＰ１において、第１画素電極Ｐｘ１の電位は、第１色画像信号ＳｉｇＣ１の電位である。そして、第１対向配線ＣＬａ（コモン線ＣＬ）は、コモン電位ＣＯＭに設定されている。コモン電位ＣＯＭは、例えば、接地電位ＧＮＤ、または、接地電位ＧＮＤに近い電位である。一方、ゲート線ＧＬの非選択状態の電位は、非選択ゲート電位ＧＬＮに設定されている。非選択ゲート電位ＧＬＮは、例えば第１グループＧＰ１に含まれる複数の第１配線Ｌ１の非選択時の電位である。非選択ゲート電位ＧＬＮは、例えば第２グループＧＰ２に含まれる複数の第１配線Ｌ１の非選択時の電位でも良い。
【０１４０】
図１３（ａ）に示した表示装置１２１においては、制御部６０は、第３動作ＯＰ３において、信号線ＳＬ（例えば第１色配線ＳＬａ）の電位を、第１画素電極Ｐｘ１の電位（第１色画像信号ＳｉｇＣ１）よりも低くする。具体的には、この例では、信号線ＳＬ（例えば第１色配線ＳＬａ）の電位は、第１画素電極Ｐｘ１の電位（第１色画像信号ＳｉｇＣ１）と、第１対向配線ＣＬａ（コモン線ＣＬ）の電位（コモン電位ＣＯＭ）と、の間に設定される。
【０１４１】
図１３（ｂ）に示した表示装置１２２においては、制御部６０は、第３動作ＯＰ３において、信号線ＳＬ（例えば第１色配線ＳＬａ）の電位を、第１対向配線ＣＬａ（コモン線ＣＬ）の電位（コモン電位ＣＯＭ）以下とする。この例では、信号線ＳＬ（例えば第１色配線ＳＬａ）の電位は、第１対向配線ＣＬａ（コモン線ＣＬ）の電位（平均の電位）と同じである。
【０１４２】
図１３（ｃ）に示した表示装置１２３においては、制御部６０は、第３動作ＯＰ３において、信号線ＳＬ（例えば第１色配線ＳＬａ）の電位を、第１対向配線ＣＬａ（コモン線ＣＬ）の電位（コモン電位ＣＯＭ）よりも低くする。例えば、信号線ＳＬ（例えば第１色配線ＳＬａ）の電位が、第１対向配線ＣＬａの電位と、非選択ゲート電位ＧＬＮと、の間に設定される。
【０１４３】
表示装置１２１においては、第３動作ＯＰ３（例えばタッチ入力の検出期間）において、信号線ＳＬの電位が、画像表示用の信号のほぼ中心に位置する。この例では、駆動回路が簡単になる。
【０１４４】
表示装置１２２においては、第３動作ＯＰ３における信号線ＳＬの電位は、表示装置１２１よりも低く、接地電位ＧＮＤ（またはコモン電位ＣＯＭ）である。この場合も、駆動回路が簡単になる。
【０１４５】
表示装置１２３においては、第３動作ＯＰ３における信号線ＳＬの電位は、表示装置１２２よりも低い。書き込み時（例えば第１動作ＯＰ１及び第２動作ＯＰ２）における画素電極Ｐｘは、スイッチ素子１１の容量分割に起因して、信号線ＳＬの電位よりも低くなる。すなわち、画素電極Ｐｘの電位よりも信号線ＳＬの電位は高い。このとき、信号線ＳＬと画素電極Ｐｘとの間の容量カップリング及び生じる電界を考慮して、第３動作ＯＰ３における信号線ＳＬの電位は、書き込み時の信号線ＳＬの電位よりも低く設定する。これにより、第３動作ＯＰ３における信号線ＳＬの電位と、画素電極Ｐｘの電位と、の差が小さくできる。これにより、例えば、表示の不均一性がより抑制できる。
【０１４６】
第１の実施形態に関して説明した構成及び動作と、第２の実施形態に関して説明した動作と組み合わせて実施しても良い。
【０１４７】
（第３の実施形態）  
図１４は、第３の実施形態に係る電子装置を例示する模式的斜視図である。  
図１４に表したように、本実施形態に係る電子機器３１０は、表示装置１１０を含む。表示装置として、第１及び第２の実施形態に関して説明した表示装置、及び、それの変形を用いても良い。この例では、電子機器３１０は、表示装置１１０を内部に格納する筐体１８０をさらに含む。電子機器３１０として、例えば、携帯電話、携帯情報端末、パーソナルコンピュータ、各種の情報機器などが用いられる。
【０１４８】
本実施形態に係る電子機器３１０は、第１及び第２の実施形態に係る表示装置を用いることで、高品位の表示が提供できる。
【０１４９】
実施形態によれば、高品位の表示装置及び電子機器が提供できる。
実施形態は、コモン線ＣＬを信号線ＳＬに沿ってＹ方向に延在させた構成について示したが、当該コモン線ＣＬをゲート線ＧＬと同じようにＸ方向に延在させた構成を採用することもできる。この場合、検出線ＲＬはＹ方向に沿って延在するものとなる。
【０１５０】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１５１】
以上、具体例を参照しつつ、本発明の実施の形態について説明した。しかし、本発明は、これらの具体例に限定されるものではない。例えば、表示装置に含まれる配線、スイッチ素子、表示層、絶縁層、制御部、セレクタ及び回路、並びに、電子機器に含まれる筐体などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１５２】
本発明の実施の形態として上述した表示装置及び電子機器を基にして、当業者が適宜設計変更して実施し得る全ての表示装置及び電子機器も、本発明の要旨を包含する限り、本発明の範囲に属する。
【０１５３】
本発明の思想の範疇において、当業者であれば、各種の変更例及び修正例に想到し得るものであり、それら変更例及び修正例についても本発明の範囲に属するものと了解される。  
例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１５４】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１５５】
１０…第１基板、  １０ｕ…第１基板部、  １１…スイッチ素子、  １１ｇ…ゲート、  １１ｉ…ゲート絶縁膜、  １２…半導体層、  １２ａ…第１部分、  １２ｂ…第２部分、  １２ｃ…第３部分、  １３…層間絶縁膜、  １５ａ…第１接続部、  １５ｂ…第２接続部、  １５ｃ…第１接続導電部、  １５ｄ…第２接続導電部、  １７…第３接続導電部、  １８…第１配向膜、  ２０…第２基板、  ２０ｕ…第２基板部、  ２５…着色層、  ２７…遮光層、  ２８…第２配向膜、  ３０…表示層、  ３５…画素、  ３５ａ…第１色画素、  ３５ｂ…第２色画素、  ３５ｃ…第３色画素、  ５１…第１偏光層、  ５２…第２偏光層、  ５５…バックライト部、  ６０…制御部、  ６１…第１駆動回路、  ６２…第２駆動回路、  ６３…制御回路、  ６５…検出回路、  ΔＶ１、ΔＶ２…電位変動、  １１０、１１１、１１９、１２１〜１２３…表示装置、  １８０…筐体、  ２１０…駆動装置、  ３１０…電子機器、  ＣＬ…コモン線、  ＣＬ１、ＣＬ２、ＣＬＮ、ＣＬｊ…コモン線、  ＣＬａ、ＣＬｂ…第１、第２対向配線、  ＣＯＭ…コモン電位、  Ｄ１〜Ｄ５…第１〜第５方向、  ＤＴ１、ＤＴ２…第１、第２表示期間、  Ｅ…電界、  Ｆ１〜Ｆ４…第１〜第４色フィルタ、  Ｇ３…間隙、  ＧＬ…ゲート線、  ＧＬ１、ＧＬ２、ＧＬｎ、ＧＬｉ…ゲート線、  ＧＬＮ…非選択ゲート電位、  ＧＮＤ…接地電位、  ＧＰ１、ＧＰ２…第１、第２グループ、  Ｇｔ１〜Ｇｔ６…第１〜第６ゲート線、  Ｉ１、Ｉ２…第１、第２絶縁層、  Ｌ１〜Ｌ５…第１〜第５配線、  ＮＤＴ…非表示期間、  ＯＰ１〜ＯＰ４…第１〜第４動作、  ＰＤＴ…表示前期間、  ＰＴ…極性、  Ｐｉｘ１〜Ｐｉｘ６…画素電極、  Ｐｘ…画素電極、  Ｐｘ１〜Ｐｘ８…第１〜第８画素電極、  Ｐｘｓ…部分、  ＲＬ…検出線、  ＲＬ１、ＲＬ２、ＲＬＭ…検出線、  Ｓ１〜Ｓ６…第１〜第６ソースアンプ、  ＳＥＬ１、ＳＥＬ２…第１、第２セレクタ、  ＳＥＬＢ、ＳＥＬＧ、ＳＥＬＲ…セレクタ信号、  ＳＬ、ＳＬ１、ＳＬ２、ＳＬｍ…信号線、  ＳＬａ、ＳＬｂ、ＳＬｃ…第１、第２、第３色配線、  ＳＳ…ソース信号、  ＳＷ１〜ＳＷ８…第１〜第８スイッチ、  Ｓｉｇ１、Ｓｉｇ２…信号線、  ＳｉｇＣ１〜ＳｉｇＣ８…第１〜第８色画素信号、  ＳｉｇＬ１〜ＳｉｇＣ３…第１〜第３色最後信号、  ＳｉｇＰ１〜ＳｉｇＬ３…第１〜第３色表示前信号、  ＴＳＶＣＯＭ…検知信号、  Ｕｆ…上面、  ｐ１〜ｐ３…第１〜第３境界部
【図１】
2015222346.tif 000003
【図２】
2015222346.tif 000004
【図３】
2015222346.tif 000005
【図４】
2015222346.tif 000006
【図５】
2015222346.tif 000007
【図６】
2015222346.tif 000008
【図７】
2015222346.tif 000009
【図８】
2015222346.tif 000010
【図９】
2015222346.tif 000011
【図１０】
2015222346.tif 000012
【図１１】
2015222346.tif 000013
【図１２】
2015222346.tif 000014
【図１３】
2015222346.tif 000015
【図１４】
2015222346.tif 000016